(57)【特許請求の範囲】
【請求項１】
無線親機と複数の無線子機とからなる無線システムであって、
前記無線親機は、
前記無線子機と予め決められた順番で通信する一斉通信モード時の前記無線子機の順番を記憶する子機記憶手段と、
前記一斉通信モードの場合、前記一斉通信モードを示すコマンドと前記一斉通信の対象となる無線子機の台数とを含む呼出信号を送信する呼出信号送信手段とを備え、
前記無線子機は、
前記一斉通信モード時の自局の順番を記憶する順番記憶手段と、
間欠的に前記呼出信号を検知する間欠キャリアセンス手段と、
前記検知された呼出信号に前記一斉通信モードを示すコマンドが含まれる場合、前記順番記憶手段に記憶された自局の順番と当該呼出信号に含まれる前記無線子機の台数とに基づき、自局の通信が終了してから最後の無線子機の通信が終了するまでの時間を演算する演算手段と、
前記演算手段によって演算された時間、前記間欠キャリアセンス手段による検知を禁止させるキャリアセンス制御手段とを備えた、無線システム。
【請求項２】
前記演算手段は、前記一斉通信を示すコマンドを含む呼出信号を検知してから前記自局の通信が開始されるまでの時間をさらに演算する、請求項１に記載の無線システム。
【請求項３】
前記無線親機は、前記一斉通信モード時の前記無線子機の順番を前記無線子機に送信する順番送信手段をさらに備え、
前記無線子機は、前記一斉通信モード時の自局の順番を前記無線親機から受信する順番受信手段をさらに備えた、請求項１に記載の無線システム。
【請求項４】
無線親機と複数の無線子機とからなる無線システムであって、
前記無線親機は、
予め決められた前記無線子機の順番を記憶する子機記憶手段と、
各ビットが前記無線子機の順番に対応し、通信の対象であるか否かを示すビット列を含む呼出信号を送信する呼出信号送信手段とを備え、
前記無線子機は、
前記自局の順番を記憶する順番記憶手段と、
間欠的に前記呼出信号を検知する間欠キャリアセンス手段と、
前記検知された呼出信号に含まれる前記ビット列の自局の順番に対応するビットが通信の対象であることを示す値の場合、当該呼出信号に含まれる前記ビット列に基づき、自局の通信が終了してから最後の無線子機の通信が終了するまでの時間を演算する演算手段と、
前記演算手段によって演算された時間、前記間欠キャリアセンス手段による検知を禁止させるキャリアセンス制御手段とを備えた、無線システム。
【請求項５】
前記演算手段は、前記呼出信号を検知してから自局の通信が開始されるまでの時間をさらに演算する、請求項４に記載の無線システム。
【請求項６】
前記演算手段は、前記検知された呼出信号に含まれる前記ビット列の自局の順番に対応するビットが通信の対象でないことを示す値の場合、前記呼出信号を検知してから最後の無線子機の通信が終了するまでの時間を演算する、請求項４に記載の無線システム。
【請求項７】
前記間欠キャリアセンス手段は、緊急の発呼要因が発生した場合、前記間欠キャリアセンス停止中であっても、前記キャリアセンスを再開する、請求項１に記載の無線システム。
【請求項８】
予め決められた順番で無線親機と通信する一斉通信モードを有する無線子機であって、
前記一斉通信モード時の自局の順番を記憶する順番記憶手段と、
前記一斉通信モードを示すコマンドと前記一斉通信の対象となる無線子機の台数とを含む呼出信号を間欠的に検知する間欠キャリアセンス手段と、
前記検知された呼出信号に前記一斉通信モードを示すコマンドが含まれる場合、前記順番記憶手段に記憶された前記一斉通信モード時の自局の順番と当該呼出信号に含まれる前記無線子機の台数とに基づき、自局の通信が終了してから最後の無線子機の通信が終了するまでの時間を演算する演算手段と、
前記演算手段によって演算された時間、前記間欠キャリアセンス手段による検知を禁止させるキャリアセンス制御手段とを備えた、無線子機。
【発明の詳細な説明】
【０００１】
【発明の属する技術分野】
本発明は、無線システムおよび無線子機に関し、特に、無線子機の省電力に適した無線システムおよび無線子機に関する。
【０００２】
【従来の技術】
従来、無線テレメータシステムでは、メータで測定された電気、ガス、水道などの使用量の検針データおよびメータの異常情報などが、無線回線で無線子機から無線親機に送信され、有線回線で無線親機から端末側網制御装置（Ｔ−ＮＣＵ）およびセンター側網制御装置を介して、ホストコンピュータに送信されて、ホストコンピュータで処理される。
【０００３】
このような無線テレメータシステムの一例が、たとえば、特開平１１−２９６７７６号公報に開示されている。同公報に示された無線自動検針システムによれば、無線子機は、他の通信やノイズの影響を受けることなく、自無線機に対する無線呼出のみを適確かつ短時間で識別し、電池の消耗を低減することができる。
【０００４】
【発明が解決しようとする課題】
従来の無線テレメータシステムでは、無線子機は、自局以外の無線子機が通信をしている間は、間欠キャリアセンスを停止していた。しかし、無線子機は、自局以外の無線子機が通信を終了するたびに、間欠キャリアセンスを再開する。このため、たとえば、決まった順番で検針を行なう場合に、自局の順番以外でも間欠キャリアセンスを再開し、無線子機の電力を無駄に消耗するという問題がある。
【０００５】
この発明は上述の問題点を解決するためになされたもので、この発明の目的の１つは、無線子機が自局の省電力を図ることが可能な無線システムおよび無線子機を提供することである。
【０００６】
【課題を解決するための手段】
上述の目的を達成するために、この発明のある局面によれば、無線システムは、無線親機と複数の無線子機とからなり、無線親機は、無線子機と予め決められた順番で通信する一斉通信モード時の無線子機の順番を記憶する子機記憶手段と、一斉通信モードの場合、一斉通信モードを示すコマンドと一斉通信の対象となる無線子機の台数とを含む呼出信号を送信する呼出信号送信手段とを備え、無線子機は、一斉通信モード時の自局の順番を記憶する順番記憶手段と、間欠的に呼出信号を検知する間欠キャリアセンス手段と、検知された呼出信号に一斉通信モードを示すコマンドが含まれる場合、順番記憶手段に記憶された自局の順番と当該呼出信号に含まれる前記無線子機の台数とに基づき、自局の通信が終了してから最後の無線子機の通信が終了するまでの時間を演算する演算手段と、演算手段によって演算された時間、間欠キャリアセンス手段による検知を禁止させるキャリアセンス制御手段とを備える。
【０００７】
この発明に従えば、無線親機は、無線子機と予め決められた順番で通信する一斉通信モード時の無線子機の順番を記憶し、一斉通信モードの場合、一斉通信モードを示すコマンドと一斉通信の対象となる無線子機の台数とを含む呼出信号を送信する。また、無線子機は、一斉通信モード時の自局の順番を記憶し、間欠的に呼出信号を検知し、検知された呼出信号に一斉通信モードを示すコマンドが含まれる場合、記憶された自局の順番と当該呼出信号に含まれる無線子機の台数とに基づき、自局の通信が終了してから最後の無線子機の通信が終了するまでの時間を演算し、演算された時間、間欠キャリアセンスを停止する。
【０００８】
このため、自局の順番以外は、間欠キャリアセンスを停止することができる。その結果、無線子機が自局の省電力を図ることが可能な無線システムを提供することができる。
【０００９】
好ましくは、演算手段は、一斉通信を示すコマンドを含む呼出信号を検知してから自局の通信が開始されるまでの時間をさらに演算する。
【００１０】
この発明に従えば、無線子機は、一斉通信を示すコマンドを含む呼出信号を検知してから自局の通信が開始されるまでの時間をさらに演算して、演算された時間、間欠キャリアセンスをさらに停止することができる。その結果、無線子機が自局の省電力をさらに図ることができる。
【００１３】
好ましくは、無線親機は、一斉通信モード時の無線子機の順番を無線子機に送信する順番送信手段をさらに備え、無線子機は、一斉通信モード時の自局の順番を無線親機から受信する順番受信手段をさらに備える。
【００１４】
この発明に従えば、無線親機は、一斉通信モード時の無線子機の順番を無線子機に送信する。また、無線子機は、一斉通信モード時の自局の順番を無線親機から受信する。このため、無線親機で設定された無線子機の順番を無線子機に通知することができる。その結果、無線子機の順番の整合性を良くすることができる。
【００１５】
この発明の他の局面によれば、無線システムは、無線親機と複数の無線子機とからなり、無線親機は、予め決められた無線子機の順番を記憶する子機記憶手段と、各ビットが無線子機の順番に対応し、通信の対象であるか否かを示すビット列を含む呼出信号を送信する呼出信号送信手段とを備え、無線子機は、自局の順番を記憶する順番記憶手段と、間欠的に呼出信号を検知する間欠キャリアセンス手段と、検知された呼出信号に含まれるビット列の自局の順番に対応するビットが通信の対象であることを示す値の場合、当該呼出信号に含まれるビット列に基づき、自局の通信が終了してから最後の無線子機の通信が終了するまでの時間を演算する演算手段と、演算手段によって演算された時間、間欠キャリアセンス手段による検知を禁止させるキャリアセンス制御手段とを備える。
【００１６】
この発明に従えば、無線親機は、予め決められた無線子機の順番を記憶し、各ビットが無線子機の順番に対応し、通信の対象であるか否かを示すビット列を含む呼出信号を送信する。また、無線子機は、自局の順番を記憶し、間欠的に呼出信号を検知し、検知された呼出信号に含まれるビット列の自局の順番に対応するビットが通信の対象であることを示す値の場合、当該呼出信号に含まれるビット列に基づき、自局の通信が終了してから最後の無線子機の通信が終了するまでの時間を演算し、演算された時間、間欠キャリアセンスを停止する。
【００１７】
このため、自局の順番以外は、間欠キャリアセンスを停止することができる。その結果、無線子機が自局の省電力を図ることが可能な無線システムを提供することができる。
【００１８】
好ましくは、演算手段は、呼出信号を検知してから自局の通信が開始されるまでの時間をさらに演算する。
【００２０】
好ましくは、演算手段は、検知された呼出信号に含まれるビット列の自局の順番に対応するビットが通信の対象でないことを示す値の場合、呼出信号を検知してから最後の無線子機の通信が終了するまでの時間を演算する。
【００２１】
このため、自局の順番以外は、間欠キャリアセンスを停止することができる。その結果、無線子機が自局の省電力をさらに図ることができる。
【００２２】
好ましくは、間欠キャリアセンス手段は、緊急の発呼要因が発生した場合、間欠キャリアセンス停止中であっても、キャリアセンスを再開する。このため、緊急時にも通信を行うことができる。
【００２６】
この発明のさらに他の局面によれば、無線子機は、予め決められた順番で無線親機と通信する一斉通信モードを有し、一斉通信モード時の自局の順番を記憶する順番記憶手段と、一斉通信モードを示すコマンドと一斉通信の対象となる無線子機の台数とを含む呼出信号を間欠的に検知する間欠キャリアセンス手段と、検知された呼出信号に一斉通信モードを示すコマンドが含まれる場合、順番記憶手段に記憶された一斉通信モード時の自局の順番と当該呼出信号に含まれる前記無線子機の台数とに基づき、自局の通信が終了してから最後の無線子機の通信が終了するまでの時間を演算する演算手段と、演算手段によって演算された時間、間欠キャリアセンス手段による検知を禁止させるキャリアセンス制御手段とを備える。
【００２７】
この発明に従えば、無線子機は、予め決められた順番で無線親機と通信する一斉通信モードを有し、一斉通信モード時の自局の順番を記憶し、一斉通信モードを示すコマンドと一斉通信の対象となる無線子機の台数とを含む呼出信号を間欠的に検知し、検知された呼出信号に一斉通信モードを示すコマンドが含まれる場合、記憶された一斉通信モード時の自局の順番と当該呼出信号に含まれる無線子機の台数とに基づき、自局の通信が終了してから最後の無線子機の通信が終了するまでの時間を演算し、演算された時間、間欠キャリアセンスを停止する。
【００２８】
このため、自局の順番以外は、間欠キャリアセンスを停止することができる。その結果、自局の省電力を図ることが可能な無線子機を提供することができる。
【００２９】
【発明の実施の形態】
以下、本発明の実施形態について図面を参照して説明する。なお、図中同一符号は同一または相当する部材を示し、重複する説明は繰返さない。
【００３０】
［第１の実施の形態］
以下、本実施の形態における第１の実施の形態について説明する。
【００３１】
図１は、本発明の第１の実施の形態の１つにおける無線テレメータシステムの構成の概略を示すブロック図である。図１を参照して、無線テレメータシステムは、複数の無線親機１００，１００Ａ，１００Ｂと、無線親機１００，１００Ａ，１００Ｂに通信回線１６０を介して接続されたホストコンピュータ１５０と、無線親機１００と無線で接続された複数の無線子機２００，２００Ａ，２００Ｂとを含み、無線子機２００，２００Ａ，２００Ｂは、それぞれメータ２５０，２５０Ａ，２５０Ｂに接続されている。
【００３２】
なお、第１の実施の形態においては、ホストコンピュータ１５０から予め決められた順番でメータを検針する一斉検針モードを指定された無線親機１００と無線子機２００とが、一斉通信モードで検針データなどのデータを送受信する場合について説明する。
【００３３】
無線親機１００は、ホストコンピュータ１５０から受信した一斉検針モードを示すコマンドを含む信号を一斉検針モードを示すコマンドを含む呼出信号に変換し、変換した呼出信号を無線子機２００，２００Ａ，２００Ｂに無線回線で送信する。また、無線親機１００は、無線子機２００，２００Ａ，２００Ｂに接続されたメータ２５０，２５０Ａ，２５０Ｂで測定された電気、ガス、水道などの使用量を示す検針データを含む信号を無線子機２００，２００Ａ，２００Ｂから受信し、通信回線で送信するための信号に変換して、通信回線１６０を介して、ホストコンピュータ１５０に送信する。
【００３４】
ホストコンピュータ１５０は、汎用機およびワークステーションなどのコンピュータであり、一斉検針モードを示すコマンドを含む信号を送信し、電気、ガス，水道などの使用量を示す検針データを受信し集計する。また、異常情報を受信し、無線子機２００，２００Ａ，２００Ｂおよびメータ２５０，２５０Ａ，２５０Ｂの異常に対応した動作を行なう。
【００３５】
通信回線１６０は、無線親機１００，１００Ａ，１００Ｂとホストコンピュータ１５０との間の通信のために用いられる。通信回線１６０は、電話回線のような公衆回線であってもよいし、専用回線であってもよい。
【００３６】
無線子機２００，２００Ａ，２００Ｂは、無線親機１００から一斉検針モードを示すコマンドを含む呼出信号を受信し、メータ２５０，２５０Ａ，２５０Ｂから受信した使用量を示す検針データを含む信号を生成し、生成された信号を無線回線で無線親機１００に送信する。
【００３７】
メータ２５０，２５０Ａ，２５０Ｂは、電気、ガス、水道などの使用量を計測して、電気信号に変換し、検針データとして無線子機２００，２００Ａ，２００Ｂに送信する。
【００３８】
無線親機１００が複数の無線子機２００，２００Ａ，２００Ｂと予め決められた順番に検針する一斉検針モードの場合、一斉検針モードを示すコマンドを含む信号が、ホストコンピュータ１５０から通信回線１６０を介して、無線親機１００に送信される。そして、無線親機１００で一斉検針モードを示すコマンドを含む呼出信号に変換され、変換された呼出信号が無線回線で無線親機１００から無線子機２００，２００Ａ，２００Ｂに無線回線で送信される。一斉検針モードを示すコマンドを含む呼出信号を受信した無線子機２００，２００Ａ，２００Ｂは一斉検針に対応した動作を行なう。
【００３９】
また、メータ２５０，２５０Ａ，２５０Ｂで測定された電気、ガス、水道などの使用量を示す検針データおよびメータ２５０，２５０Ａ，２５０Ｂの異常情報などは、メータ２５０，２５０Ａ，２５０Ｂに接続された無線子機２００，２００Ａ，２００Ｂから、無線回線で無線親機１００に送信される。そして、無線親機１００から通信回線１６０を介して、ホストコンピュータ１５０に送信されて、ホストコンピュータ１５０で処理される。
【００４０】
図２は、第１の実施の形態における無線親機１００の構成を示すブロック図である。なお、図１の無線親機１００Ａ，１００Ｂは、無線親機１００と同じ構成である。図２を参照して、無線親機１００は、無線通信を行なう無線ユニット１１０と、無線信号を送受信するアンテナ１１１と、所定の情報を記憶する記憶部１２０と、ホストコンピュータ１５０と通信する通信部１３０と、無線親機１００の全体を制御する制御部１４０とを含む。
【００４１】
無線ユニット１１０は、制御部１４０から受信した一斉検針モードを示すコマンドを含む呼出信号をアンテナ１１１に送信する。また、アンテナ１１１から受信した検針データを含む信号を制御部１４０に送信する。
【００４２】
アンテナ１１１は、無線ユニット１１０から受信した一斉検針モードを示すコマンドを含む呼出信号を無線子機２００，２００Ａ，２００Ｂに送信して、無線子機２００，２００Ａ，２００Ｂから送信された検針データを含む信号を受信し、無線ユニット１１０に送信する。
【００４３】
記憶部１２０は、自局の呼出ＩＤと、自局に属する無線子機の呼出ＩＤと、一斉検針モード時における無線子機の検針の順番とを記憶する。
【００４４】
通信部１３０は、通信回線１６０に接続され、ホストコンピュータ１５０から一斉検針モードを示すコマンドを含む信号を受信し、ホストコンピュータ１５０に検針データを含む信号を送信する。
【００４５】
制御部１４０は、通信部１３０から一斉検針モードを示すコマンドを含む信号を受信し、無線送信のための一斉検針モードを示すコマンドを含む呼出信号に変換して、無線ユニット１１０に送信する。また、各無線子機２００，２００Ａ，２００Ｂに対して個別に検針データを含む信号を送信することを要求するための無線信号を作成し、無線ユニット１１０に送信する。さらに、無線ユニット１１０から受信した検針データを含む信号を通信部１３０に送信する。
【００４６】
図３は、第１の実施の形態における無線子機２００の構成を示すブロック図である。なお、図１の無線子機２００Ａ，２００Ｂは、無線子機２００と同じ構成である。図３を参照して、無線子機２００は、無線通信を行なう無線ユニット２１０と、無線信号を送受信するアンテナ２１１と、所定の情報を記憶する記憶部２２０と、メータ２５０と通信する通信部２２０と、無線子機２００の全体を制御する制御部２４０とを含む。
【００４７】
無線ユニット２１０は、制御部２４０から受信した無線送信のための無線信号をアンテナ２１１に送信する。また、アンテナ２１１から受信した無線信号を制御部２４０に送信する。さらに、アンテナ２１１を介して、搬送波が送信されているか否かを検知するキャリアセンスを行なう。
【００４８】
アンテナ２１１は、無線ユニット２１０から受信した無線信号を無線親機１００に送信して、無線親機１００から送信された無線信号を受信し、無線ユニット２１０に送信する。
【００４９】
記憶部２２０は、自局の呼出ＩＤと、自局が属する無線親機の呼出ＩＤと、一斉検針モード時における自局の検針の順番とを記憶する。
【００５０】
通信部２３０は、メータ２５０に接続され、メータ２５０から検針データを含む信号を受信する。
【００５１】
制御部２４０は、無線ユニット２１０から一斉検針モードを示すコマンドを含む呼出信号を受信し、通信部２３０に検針データを含む信号を送ることを要求する信号を送信する。また、通信部２３０から検針データを含む信号を受信し、検針データを含む信号を無線送信のための無線信号に変換して、無線ユニット２１０に送信する。
【００５２】
図４は、第１の実施の形態における無線親機１００の制御部１４０と記憶部１２０との機能の概略を示す機能ブロック図である。図４を参照して、制御部１４０は、呼出信号送信部１４１と、順番送信部１４２とを含む。また、記憶部１２０は、一斉検針モード時の各無線子機の順番を記憶する子機記憶部１２１を含む。
【００５３】
呼出信号送信部１４１は、通信部１３０から一斉検針モードを示すコマンドを含む信号を受信し、無線送信のための、一斉検針を示すコマンドを含む呼出信号に変換する。そして、変換した呼出信号を無線ユニット１１０に送信する。
【００５４】
順番送信部１４２は、子機記憶部１２１から各無線子機の順番を読み出し、各無線子機の順番を含んだ呼出信号を生成し、生成した呼出信号を各無線子機に送信する。
【００５５】
図５は、第１の実施の形態における無線子機２００の制御部２４０と無線ユニット２１０と記憶部２２０との機能の概略を示す機能ブロック図である。図５を参照して、無線ユニット２１０は、間欠的に呼出信号を検知する間欠キャリアセンス部２１２を含む。記憶部２２０は、一斉検針モード時の自局の順番を記憶する順番記憶部２２１を含む。また、制御部２４０は、キャリアセンス制御部２４１を含み、キャリアセンス制御部２４１は、演算部２４２を含む。
【００５６】
キャリアセンス制御部２４１は、順番記憶部２２１に記憶された自局の順番に基づき求められる所定の時間、間欠キャリアセンス部２１２による検知を禁止させる。
【００５７】
演算部２４２は、自局の順番と一斉検針の対象である無線子機の台数とに基づき、自局の順番以外の間欠キャリアセンスを禁止する時間を演算する。
【００５８】
図６は、第１の実施の形態において無線親機１００から無線子機２００に送信される呼出信号５００の構成を示す図である。図６を参照して、呼出信号５００は、ＡＲＩＢ  ＳＴＤ−Ｔ６７で規定されている部分５１０と、接続要求信号５２０と、情報部５５０とを含む。ＡＲＩＢ（Association of Radio Industries and Businesses）は、社団法人「電波産業会」の略称ある。また、ＡＲＩＢ  ＳＴＤは、ＡＲＩＢが加盟する国際通信連合（ＩＴＵ）で取り決められた標準規格をそのまま国内規格として採用した規格である。
【００５９】
ＡＲＩＢ  ＳＴＤ−Ｔ６７で規定されている部分５１０は、１０５ビットのビット同期信号５１１と、３１ビットのフレーム同期信号５１２と、自局呼出ＩＤと誤り訂正冗長ビットとを含む６３ビットの自局呼出符号５１３とを含む。ＡＲＩＢ  ＳＴＤ−Ｔ６７で規定されている部分５１０は、規格が変更された場合は、変更に応じた構成としてもよい。また、以前の規格、たとえば、ＲＣＲ  ＳＴＤに応じた構成であってもよい。ＲＣＲ  ＳＴＤは、ＡＲＩＢの前身である電波システム開発センター（ＲＣＲ，Research and Development Center for Radio Systems）が国内規格として採用していた規格である。
【００６０】
接続要求信号５２０は、繰返し送信される複数のパケット５３０を含む。パケット５３０は、同期信号５３１とグループ識別符号５３２と端末識別符号５３３とを含む。
【００６１】
同期信号５３１は、呼出信号５００を受信した無線子機２００が呼出信号５００を送信している無線親機１００と同期をとるための１７ビットの信号である。
【００６２】
グループ識別符号５３２は、１２桁の無線親機１００の呼出ＩＤの下４桁をＲＣＲ２進数に変換した１６ビット（＝４ビット×４桁）の符号である。呼出信号５００を受信した無線子機２００は、自局が記憶している無線親機１００の呼出ＩＤの下４桁と、受信した呼出信号に含まれるグループ識別符号５３２とを比較することにより、受信した呼出信号５００が自局が属する無線親機１００から送信された呼出信号であるかを概略的に判断する。
【００６３】
ＲＣＲ２進数は、次に示す表１のように１０進数から変換される４ビットの２進数である。
【００６４】
【表１】
0003970614.tif 000002
【００６５】
端末識別符号５３３は、１２桁の無線子機の呼出ＩＤの下４桁をＲＣＲ２進数に変換した１６ビット（＝４ビット×４桁）の符号である。呼出信号５００を受信した無線子機２００は、自局が記憶している自局の呼出ＩＤの下４桁と、受信した呼出信号５００に含まれる端末識別符号５３３とを比較することにより、受信した呼出信号５００が自局に対して送信された呼出信号であるかを概略的に判断する。
【００６６】
情報部５５０は、呼出信号５００を送信している無線親機１００を特定する自局呼出ＩＤ５５１と、呼出信号５００を受信する無線子機２００を特定する相手局呼出ＩＤ５５２と、無線親機１００から無線子機２００に渡されるデータ５５３とを含む。
【００６７】
自局呼出ＩＤ５５１は、呼出信号５００を送信した自局である無線親機１００を特定する１２桁の番号をＲＣＲ２進数に変換した４８ビットの符号である。
【００６８】
相手局呼出ＩＤ５５２は、呼出信号５００の相手局である無線子機２００を特定する１２桁の番号をＲＣＲ２進数に変換した４８ビットの符号である。
【００６９】
図７は、第１の実施の形態における一斉検針モード時に無線親機１００から送信される呼出信号５００に含まれ繰返し送信される接続要求信号５２０のパケット５３０の第１の構成を示す図である。図７を参照して、パケット５３０Ａは、同期信号５３１と、グループ識別符号５３２と、端末識別符号５３３と、一斉検針コマンド５４１と、一斉検針の台数を示す符号５４２とを含む。
【００７０】
一斉検針コマンド５４１は、無線子機２００と予め決められた順番で通信する一斉通信モードを示す４ビットのコマンドである。呼出信号５００を受信した無線子機２００は、グループ識別符号５３２および端末識別符号５３３により、受信した呼出信号５００が自局が属する無線親機１００から自局に対して送信された呼出信号５００であると概略的に判断し、さらに、一斉検針コマンド５４１を検出した場合は、一斉検針に対応した動作を行なう。具体的には、無線子機２００は、順番記憶部２２１に記憶された自局の順番に基づき、一斉検針コマンド５４１を受信してから自局の検針が開始されるまでの時間、間欠キャリアセンスを停止し、自局の検針の呼出信号が送信される時に間欠キャリアセンスを再開する。一斉検針コマンド５４１は、ＲＣＲ２進数で使用されない４ビットの符号、たとえば、「００００」、「０００１」、「００１０」、「１１０１」、「１１１０」および「１１１１」のうちの１つである「０００１」で示される。
【００７１】
一斉検針の台数を示す符号５４２は、一斉検針を行なう無線子機２００の台数をＲＣＲ２進数に変換した１２ビット（＝４ビット×３桁）の符号である。呼出信号５００を受信した無線子機２００は、グループ識別符号５３２および端末識別符号５３３により、受信した呼出信号５００が自局が属する無線親機１００から自局に対して送信された呼出信号５００であると概略的に判断し、さらに、一斉検針コマンド５４１を検出した場合は、順番記憶部２２１に記憶された自局の順番と一斉検針の台数とに基づき、自局の検針が終了してから最後の無線子機の検針が終了するまでの時間、間欠キャリアセンスを停止し、最後の無線子機の検針が終了する時に間欠キャリアセンスを再開する。
【００７２】
図７で説明した一斉検針コマンド５４１と一斉検針を行なう無線子機２００の台数を示す符号５４２は、後述する図８および図９で示す構成で、呼出信号５００のパケット５３０に含まれてもよい。
【００７３】
図８は、第１の実施の形態における一斉検針モード時に無線親機１００から送信される呼出信号５００に含まれ繰返し送信される接続要求信号５２０のパケット５３０の第２の構成を示す図である。図８を参照して、パケット５３０Ｂは、同期信号５３１と、グループ識別符号５３２と、一斉検針コマンド５４１と、一斉検針の台数を示す符号５４２とを含む。
【００７４】
同期信号５３１は、無線子機２００との同期をとるための１７ビットの信号である。
【００７５】
グループ識別符号５３２は、１２桁の無線親機１００の呼出ＩＤの下４桁をＲＣＲ２進数に変換した１６ビット（＝４ビット×４桁）の符号である。
【００７６】
一斉検針コマンド５４１は、無線子機２００と予め決められた順番で通信する一斉通信モードを示す４ビットのコマンドである。
【００７７】
一斉検針の台数を示す符号５４２は、一斉検針を行なう無線子機２００の台数をＲＣＲ２進数に変換した１２ビット（＝４ビット×３桁）の符号である。
【００７８】
同期信号５３１と、グループ識別符号５３４と、一斉検針コマンド５４１と、一斉検針の台数を示す符号５４２との作用については、図７で説明した通りである。
【００７９】
図９は、第１の実施の形態における一斉検針モード時に無線親機１００から送信される呼出信号５００に含まれ繰返し送信される接続要求信号５２０のパケット５３０の第３の構成を示す図である。図９を参照して、パケット５３０Ｃは、同期信号５３１と、グループ識別符号５３４と、一斉検針コマンド５４１と一斉検針の台数を示す符号５４３とを含む。
【００８０】
同期信号５３１は、無線子機２００との同期をとるための１７ビットの信号である。
【００８１】
グループ識別符号５３４は、１２桁の無線親機１００の呼出ＩＤの下３桁をＲＣＲ２進数に変換した１２ビット（＝４ビット×３桁）の符号である。
【００８２】
一斉検針コマンド５４１は、無線子機２００と予め決められた順番で通信する一斉通信モードを示す４ビットのコマンドである。
【００８３】
一斉検針の台数を示す符号５４３は、一斉検針を行なう無線子機２００の台数をＲＣＲ２進数に変換した１６ビット（＝４ビット×４桁）の符号である。
【００８４】
同期信号５３１と、グループ識別符号５３４と、一斉検針コマンド５４１と、一斉検針の台数を示す符号５４３との作用については、図７で説明した通りである。
【００８５】
図１０は、第１の実施の形態における無線親機１００の送受信の時間的な流れおよび無線子機２００の送受信とキャリアセンスとの時間的な流れの一例を示すタイムチャートである。ここでは、無線親機１００と、一斉検針の順番が１番目の無線子機２００ａと、一斉検針の順番がｍ番目の無線子機２００ｍと、一斉検針の順番が最後であるｎ番目の無線子機２００ｎとの送受信の時間的な流れを説明する。また、無線親機１００が送信する呼出信号の間隔は９０秒とし、無線親機が呼出信号を送信してから、無線子機が検針データを応答して、無線親機が終了信号を送信するまでの時間は６０秒とする。図１０を参照して、
（１）無線子機２００ａ，２００ｍ，２００ｎは、間欠キャリアセンスを行なっている。
【００８６】
（２）無線親機１００は、呼出信号（一斉通信）５００を送信する。
（３）無線子機２００ａ，２００ｍ，２００ｎは呼出信号（一斉通信）５００を間欠キャリアセンスで検知する。
【００８７】
（４）無線子機２００ａは、自局の順番が１番目であるので、呼出信号（一斉検針）５００を検知してから自局の検針が開始されるまでの９０×１秒間、間欠キャリアセンスを停止する。
【００８８】
（５）無線子機２００ｍは、自局の順番がｍ番目であるので、呼出信号（一斉検針）５００を検知してから自局の検針が開始されるまでの９０×ｍ秒間、間欠キャリアセンスを停止する。
【００８９】
（６）無線子機２００ｎは、自局の順番がｎ番目であるので、呼出信号（一斉検針）５００を検知してから自局の検針が開始されるまでの９０×ｎ秒間、間欠キャリアセンスを停止する。
【００９０】
（７）無線親機１００は、呼出信号（１台目）５０１を送信する。
（８）無線子機２００ａは、間欠キャリアセンスを再開し、呼出信号（１台目）５０１を検知する。
【００９１】
（９）中略
（１０）無線親機１００は、終了信号（ｍ−１台目）７０１を送信する。
【００９２】
（１１）無線親機１００は、呼出信号（ｍ台目）５０２を送信する。
（１２）無線子機２００ｍは、間欠キャリアセンスを再開し、呼出信号（ｍ台目）５０２を検知する。
【００９３】
（１３）無線子機２００ｍは、検針データを含む応答信号６０２を送信する。
（１４）無線親機１００は、応答信号６０２を受信する。
【００９４】
（１５）無線親機１００は、終了信号７０２を送信する。
（１６）無線子機２００ｍは、終了信号７０２を受信する。
【００９５】
（１７）無線子機２００ｍは、最後の無線子機２００ｎの検針が終了するまでの９０×（ｎ−ｍ）秒間、間欠キャリアセンスを停止する。
【００９６】
（１８）無線親機１００は、呼出信号（ｍ＋１台目）５０３を送信する。
（１９）中略
（２０）無線親機１００は、呼出信号（ｎ台目）５０４を送信する。
【００９７】
（２１）無線子機２００ｎは、間欠キャリアセンスを再開し、呼出信号（ｎ台目）５０４を検知する。
【００９８】
（２２）無線子機２００ｎは、検針データを含む応答信号６０４を送信する。
（２３）無線親機１００は、応答信号６０４を受信する。
【００９９】
（２４）無線親機１００は、終了信号７０４を送信する。
（２５）無線子機２００ｎは、終了信号７０４を受信する。
【０１００】
（２６）無線子機２００ａ，２００ｍ，２００ｎは、間欠キャリアセンスを再開する。
【０１０１】
以上、説明したように、第１の実施の形態における無線テレメータシステムでは、無線親機１００は、無線子機２００と予め決められた順番で通信する一斉検針モード時の無線子機の順番を記憶し、一斉検針モードの場合、一斉検針モードを示すコマンドを含む呼出信号５００を送信する。また、無線子機２００は、一斉検針モード時の自局の順番を記憶し、間欠的に呼出信号５００を検知し、検知された呼出信号５００に一斉検針モードを示すコマンドが含まれる場合、記憶された自局の順番に基づき求められる所定の時間、間欠キャリアセンスを停止する。
【０１０２】
このため、無線テレメータシステムの無線子機は、自局の順番以外は、間欠キャリアセンスを停止することができる。その結果、無線テレメータシステムにおいて、無線子機が自局の省電力を図ることができる。
【０１０３】
また、無線親機１００は、一斉通信モード時の無線子機２００の順番を無線子機２００に送信する。そして、無線子機２００は、一斉通信モード時の自局の順番を無線親機１００から受信する。
【０１０４】
このため、無線親機は、無線親機１００で設定された無線子機２００の順番を無線子機２００に通知することができる。その結果、無線子機の順番の整合性を良くすることができる。
【０１０５】
なお、第１の実施の形態においては、無線テレメータシステムにおける無線システムについて説明したが、図７〜図９で説明したパケット５３０Ａ〜５３０Ｃのいずれかを含む呼出信号５００を送信する無線親機１００、および、図７〜図９で説明したパケット５３０Ａ〜５３０Ｃを含む呼出信号５００を受信して、自局の順番以外は間欠キャリアセンスを停止する無線子機２００として発明を捕らえることができる。
【０１０６】
［第２の実施の形態］
続いて、本実施の形態における第２の実施の形態について説明する。
【０１０７】
本発明の第２の実施の形態の１つにおける無線テレメータシステムの構成の概略は、図１に示した、第１の実施の形態の１つにおける無線テレメータシステムの構成の概略と同様である。
【０１０８】
第２の実施の形態における無線親機１００の構成は、図２で示した第１の実施の形態における無線親機１００の構成と同様である。
【０１０９】
第２の実施の形態における無線子機２００の構成は、図３で示した第１の実施の形態における無線子機２００の構成と同様である。
【０１１０】
第２の実施の形態における無線親機１００の制御部１４０と記憶部１２０との機能の概略は、図４で示した第１の実施の形態における無線親機１００の制御部１４０と記憶部１２０との機能の概略と同様である。
【０１１１】
第２の実施の形態における無線子機２００の制御部２４０と無線ユニット２１０と記憶部２２０との機能の概略は、図５で示した第１の実施の形態における無線子機２００の制御部２４０と無線ユニット２１０と記憶部２２０との機能の概略と同様である。
【０１１２】
第２の実施の形態において無線親機１００から無線子機２００に送信される呼出信号５００の構成は、図６で示した第１の実施の形態において無線親機１００から無線子機２００に送信される呼出信号５００の構成と同様である。
【０１１３】
第２の実施の形態が第１の実施の形態と異なる点は、一斉検針モード時に無線親機１００から送信される呼出信号５００に含まれ繰返し送信される接続要求信号５２０のパケット５３０の構成である。したがって、その点について説明する。
【０１１４】
なお、第２の実施の形態においては、ホストコンピュータ１５０から指定されたメータを検針する指定検針モードを指定された無線親機１００と無線子機２００とが、指定通信モードで検針データなどのデータを送受信する場合について説明する。
【０１１５】
図１１は、第２の実施の形態における指定検針モード時に無線親機１００から送信される呼出信号５００に含まれ繰返し送信される接続要求信号５２０のパケット５３０の構成を示す図である。図１１を参照して、パケット５３０Ｄは、同期信号５３１と、グループ識別符号５３４と、指定検針コマンド５４４と、ビット列５４５とを含む。
【０１１６】
同期信号５３１は、呼出信号５００を受信した無線子機２００が呼出信号５００を送信している無線親機１００と同期をとるための１７ビットの信号である。
【０１１７】
グループ識別符号５３４は、１２桁の無線親機１００の呼出ＩＤの下３桁をＲＣＲ２進数に変換した１２ビット（＝４ビット×３桁）の符号である。呼出信号５００を受信した無線子機２００は、自局が記憶している無線親機１００の呼出ＩＤの下３桁と、受信した呼出信号に含まれるグループ識別符号５３４とを比較することにより、受信した呼出信号５００が自局が属する無線親機１００から送信された呼出信号であるかを概略的に判断する。
【０１１８】
指定検針コマンド５４４は、指定した無線子機２００を順番に検針する指定検針モードを示す４ビットのコマンドである。
【０１１９】
ビット列５４５は、各ビットが各無線子機に対応し、通信の対象であるか否かを示す１６ビットの符号である。この場合は、各ビットが無線親機１００に属する１６台の無線子機にそれぞれ対応するが、ビット列５４５を長くすることによって、１６台以上の無線子機に対応することもできる。
【０１２０】
呼出信号５００を受信した無線子機２００は、グループ識別符号５３４により、受信した呼出信号５００が自局が属する無線親機１００から送信された呼出信号５００であると概略的に判断し、さらに、指定検針コマンド５４１を検出した場合は、ビット列５４５に基づき、間欠キャリアセンスを停止する。
【０１２１】
自局の順番に対応するビットが通信の対象であることを示す場合、呼出信号５００を検知してから自局の検針が開始されるまでの時間、および、自局の検針が終了してから最後の無線子機の検針が終了するまでの時間、間欠キャリアセンスを停止する。
【０１２２】
自局の順番に対応するビットが通信の対象でないことを示す場合、呼出信号５００を検知してから最後の無線子機の検針が終了するまでの時間、間欠キャリアセンスを停止する。
【０１２３】
図１２は、第２の実施の形態における指定検針モード時の呼出信号５００に含まれるビット列５４５の一例を示す図である。ここでは、値が１であるビットに対応する無線子機が検針の対象であることを示すものとする。図１２（Ａ）を参照して、ビット列５４５Ａのうち５番目と１０番目と１５番目とのビットの値が１であるので、ビット列５４５Ａは、順番記憶部２２１に記憶された順番が５番と１０番と１５番とである無線子機が検針の対象であることを示している。また、ビット列５４５Ａは、指定検針が、５番の無線子機、１０番の無線子機、１５番の無線子機の通信順序で行われることを示している。
【０１２４】
図１２（Ｂ）を参照して、ビット列５４５Ｂのうちすべてのビットの値が１であるので、ビット列５４５Ｂは、無線親機１００に属するすべての無線子機が検針の対象であることを示している。また、ビット列５４５Ｂは、指定検針が各無線子機の順番記憶部２２１に記憶された順番通りの通信順序で行われることを示している。この場合は、第１の実施の形態における一斉検針に相当する。
【０１２５】
図１３は、第２の実施の形態における無線親機１００の送受信の時間的な流れおよび無線子機２００の送受信とキャリアセンスとの時間的な流れの一例を示すタイムチャートである。ここでは、無線親機１００が図１２（Ａ）で示されるビット列５４５Ａを含む呼出信号５００を送信した場合における、送受信とキャリアセンスとの時間的な流れを説明する。図１２（Ａ）で示されるビット列５４５Ａで検針を指定された無線子機は、順番記憶部２２１に記憶された順番が５番と１０番と１５番とである無線子機２００Ｃ，２００Ｄ，２００Ｅである。参考のために、図１２（Ａ）で示されるビット列５４５Ａで検針を指定されていない無線子機の送受信とキャリアセンスとの時間的な流れについても説明する。
【０１２６】
また、無線親機１００が送信する呼出信号の間隔は９０秒とし、無線親機１００が呼出信号５００を送信してから、無線子機２００Ｃ，２００Ｄ，２００Ｅが検針データを応答して、無線親機１００が終了信号を送信するまでの時間は６０秒とする。図１３を参照して、
（１）無線子機２００Ｃ，２００Ｄ，２００Ｅおよびその他の無線子機は、間欠キャリアセンスを行なっている。
【０１２７】
（２）無線親機１００は、呼出信号（指定検針）５００を送信する。
（３）無線子機２００Ｃ，２００Ｄ，２００Ｅおよびその他の無線子機は呼出信号（指定検針）５００を間欠キャリアセンスで検知する。
【０１２８】
（４）無線子機２００Ｃは、検針順序が１番目であるので、呼出信号（指定検針）５００を検知してから自局の検針が開始されるまでの９０×１秒間、間欠キャリアセンスを停止する。
【０１２９】
（５）無線子機２００Ｄは、検針順序が２番目であるので、呼出信号（指定検針）５００を検知してから自局の検針が開始されるまでの９０×２秒間、間欠キャリアセンスを停止する。
【０１３０】
（６）無線子機２００Ｅは、検針順序が３番目であるので、呼出信号（指定検針）５００を検知してから自局の検針が開始されるまでの９０×３秒間、間欠キャリアセンスを停止する。
【０１３１】
（７）その他の無線子機は、検針の指定をされていないので、呼出信号（指定検針）５００を検知してから、検針順序が３番目である最後の無線子機２００Ｅの検針が終了するまでの９０×４−３０秒間、間欠キャリアセンスを停止する。
【０１３２】
（８）無線親機１００は、呼出信号（５番）５０５を送信する。
（９）無線子機２００Ｃは、間欠キャリアセンスを再開し、呼出信号（５番）５０５を検知する。
【０１３３】
（１０）無線子機２００Ｃは、検針データを応答信号６０５として、送信する。
【０１３４】
（１１）無線親機１００は、応答信号６０５を受信する。
（１２）無線親機１００は、終了信号７０５を送信する。
【０１３５】
（１３）無線子機２００Ｃは、終了信号７０５を受信する。
（１４）無線子機２００Ｃは、最後の無線子機２００Ｅの検針が終了するまでの９０×２秒間、間欠キャリアセンスを停止する。
【０１３６】
（１５）以下、無線子機２００Ｄ，２００Ｅについて、無線子機２００Ｃに対する（８）〜（１４）までの処理と同様の処理が行なわれる。
【０１３７】
（１６）無線子機２００Ｃ，２００Ｄ，２００Ｅおよびその他の無線子機は、間欠キャリアセンスを再開する。
【０１３８】
以上、説明したように、第２の実施の形態における無線テレメータシステムでは、無線親機は、予め決められた無線子機の順番を記憶し、各ビットが無線子機の順番に対応し、通信の対象であるか否かを示すビット列を含む呼出信号を送信する。また、無線子機は、自局の順番を記憶し、間欠的に呼出信号を検知し、検知された呼出信号に含まれるビット列の自局の順番に対応するビットが通信の対象であることを示す値の場合、ビット列に基づき求められる所定の時間、間欠キャリアセンスを停止する。
【０１３９】
このため、無線テレメータシステムの無線子機は、自局の順番以外は、間欠キャリアセンスを停止することができる。その結果、無線テレメータシステムにおいて、無線子機が自局の省電力を図ることができる。
【０１４０】
今回開示された実施の形態はすべての点で例示であって、制限的なものではないと考えられるべきである。本発明の範囲は上記した説明ではなくて特許請求の範囲によって示され、特許請求の範囲と均等の意味および、範囲内でのすべての変更が含まれることが意図される。
【図面の簡単な説明】
【図１】  本発明の第１の実施の形態の１つにおける無線テレメータシステムの構成の概略を示すブロック図である。
【図２】  第１の実施の形態における無線親機の構成を示すブロック図である。
【図３】  第１の実施の形態における無線子機の構成を示すブロック図である。
【図４】  第１の実施の形態における無線親機の制御部と記憶部との機能の概略を示す機能ブロック図である。
【図５】  第１の実施の形態における無線子機の制御部と無線ユニットと記憶部との機能の概略を示す機能ブロック図である。
【図６】  第１の実施の形態において無線親機から無線子機に送信される呼出信号の構成を示す図である。
【図７】  第１の実施の形態における一斉検針モード時に無線親機から送信される呼出信号に含まれ繰返し送信される接続要求信号のパケットの第１の構成を示す図である。
【図８】  第１の実施の形態における一斉検針モード時に無線親機から送信される呼出信号に含まれ繰返し送信される接続要求信号のパケットの第２の構成を示す図である。
【図９】  第１の実施の形態における一斉検針モード時に無線親機から送信される呼出信号に含まれ繰返し送信される接続要求信号のパケットの第３の構成を示す図である。
【図１０】  第１の実施の形態における無線親機の送受信の時間的な流れおよび無線子機の送受信とキャリアセンスとの時間的な流れの一例を示すタイムチャートである。
【図１１】  第２の実施の形態における指定検針モード時に無線親機から送信される呼出信号に含まれ繰返し送信される接続要求信号のパケットの構成を示す図である。
【図１２】  第２の実施の形態における指定検針モード時の呼出信号に含まれるビット列の一例を示す図である。
【図１３】  第２の実施の形態における無線親機の送受信の時間的な流れおよび無線子機の送受信とキャリアセンスとの時間的な流れの一例を示すタイムチャートである。
【符号の説明】
１００  無線親機、１１０  無線ユニット、１１１  アンテナ、１２０  記憶部、１２１  子機記憶部、１３０  通信部、１４０  制御部、１４１  呼出信号送信部、１４２  順番送信部、１５０  ホストコンピュータ、２００  無線子機、２１０  無線ユニット、２１１  アンテナ、２１２  間欠キャリアセンス部、２２０  記憶部、２２１  順番記憶部、２３０  通信部、２４０  制御部、２４１  キャリアセンス制御部、２４２  演算部。
【図１】
0003970614.tif 000003
【図２】
0003970614.tif 000004
【図３】
0003970614.tif 000005
【図４】
0003970614.tif 000006
【図５】
0003970614.tif 000007
【図６】
0003970614.tif 000008
【図７】
0003970614.tif 000009
【図８】
0003970614.tif 000010
【図９】
0003970614.tif 000011
【図１０】
0003970614.tif 000012
【図１１】
0003970614.tif 000013
【図１２】
0003970614.tif 000014
【図１３】
0003970614.tif 000015